(57)【要約】【課題】  土壌中における堆肥化が早く、農作物の蔓葉を保持するのに充分な強度を有する生分解性撚糸、生分解性撚糸の製造方法及び生分解性撚糸を用いた農作物用ネットを提供することにある。【解決手段】  土壌中において分解する生分解性撚糸において、綿繊維に対して竹を原料とする竹セルロース繊維を５重量％〜３０重量％を混紡した混紡糸を撚った撚糸であり、綿繊維の綿番手が０．５番〜２番で繊維長が２５ｍｍ〜３５ｍｍで、竹セルロース繊維の繊度が０．８デシテックス〜１．７デシテックスで繊維長が３２ｍｍ〜４２ｍｍであることを特徴とする。【選択図】なし【特許請求の範囲】
【請求項１】
土壌中において分解する生分解性撚糸において、
綿繊維に対して竹を原料とする竹セルロース繊維を５重量％〜３０重量％を混紡した混紡糸を撚った撚糸であることを特徴とする生分解性撚糸。
【請求項２】
前記綿繊維の綿番手が０．５番〜２番で繊維長が２５ｍｍ〜３５ｍｍで、
前記竹セルロース繊維の繊度が０．８デシテックス〜１．７デシテックスで繊維長が３２ｍｍ〜４２ｍｍであることを特徴とする請求項１記載の生分解性撚糸。
【請求項３】
前記混紡糸を６本〜２４本撚って、繊度を３０００デシテックス〜５６００デシテックスとしたことを特徴とする請求項１又は請求項２記載の生分解性撚糸。
【請求項４】
前記混紡糸を２本〜１２本撚って第１の撚糸とし、さらに該第１の撚糸を３本〜６本撚ったことを特徴とする請求項３記載の生分解性撚糸。
【請求項５】
土壌中において分解する生分解性撚糸の製造方法において、
綿繊維に対して竹を原料とする竹セルロース繊維を５重量％〜３０重量％を混紡して混紡糸とし、
１本の該混紡糸を撚り、
該撚った混紡糸の２本〜１２本を撚って第１の撚糸とし、
該第１の撚糸の３本〜６本を撚ることを特徴とする生分解性撚糸の製造方法。
【請求項６】
前記綿繊維の綿番手が０．５番〜２番で繊維長が２５ｍｍ〜３５ｍｍで、
前記竹セルロース繊維の繊度が０．８デシテックス〜１．７デシテックスで繊維長が３２ｍｍ〜４２ｍｍであることを特徴とする請求項５記載の生分解性撚糸の製造方法。
【請求項７】
農作物の蔓を絡ませて保持するための生分解性撚糸を用いた農作物用ネットにおいて、
請求項１〜請求項４のいずれかに記載の生分解性撚糸を用いてなることを特徴とする生分解性撚糸を用いた農作物用ネット。
【請求項８】
農作物の蔓を絡ませて保持するための生分解性撚糸を用いた農作物用ネットにおいて、
請求項５又は請求項６記載の方法で製造された生分解性撚糸を用いてなることを特徴とする生分解性撚糸を用いた農作物用ネット。
【発明の詳細な説明】
【技術分野】
【０００１】
本発明は、土壌中において分解する生分解性撚糸、生分解性撚糸の製造方法及び生分解性撚糸を用いた農作物用ネットに関する。
【背景技術】
【０００２】
従来より、農作物の蔓を絡ませつつ保持して蔓葉の成長を促す農作物用ネットが用いられている。この農作物用ネットの糸として、従来から合成樹脂製（ポリエチレン製）のネットが用いられている。しかしながら、合成樹脂製の農作物用ネットは、産業廃棄物であり、また農作物の収穫後に蔓葉が絡みついた状態のままでは焼却処分できないことから、一定期間土壌中で蔓葉を腐熟化させて除去し、その後、産業廃棄物として焼却処分している。
【０００３】
従来の合成樹脂製の農作物用ネットの課題を解決するために、生分解性繊維からなるネットや、綿のみを用いたネットが、提案されている。生分解性繊維を用いたものとしては、例えば特許文献１に示されるようなものがある。特許文献１の生分解性繊維を用いた農作物用ネット（植物誘引ネット）は、生分解性繊維として、ポリ乳酸系モノフィラメントを用い、ポリ乳酸系モノフィラメントの相対粘度を適宜定めることで、生分解性を有し、充分な強度を有し、扱いやすさも兼ね備えたものとしている。
【０００４】
また、綿のみを用いたネットとしては、例えば特許文献２に示されるようなものがある。特許文献２の綿のみを用いた農作物用ネット（長芋用のネット）は、綿繊維を紐又は糸状に撚り合わせ、撚り合わせた紐又は糸を用いている。この長芋用のネットは、長芋の蔓及び枝葉等をネットから引き剥がすことなく他の堆肥材料と一緒に有機堆肥として利用できるものである。
【先行技術文献】
【特許文献】
【０００５】
【特許文献１】特開２００４−３３７１１６号公報
【特許文献２】特許第３３４２２４７号公報
【発明の概要】
【発明が解決しようとする課題】
【０００６】
しかしながら、従来の合成樹脂製（ポリエチレン製）のネットは、農作物の収穫後の処分に困る一方、ポリ乳酸系モノフィラメントを用いた生分解性繊維を用いたネットは、堆肥化が可能なものの、堆肥化に１年以上の時間を要してしまい、必要に応じて産業廃棄物としての処分しているのが実情である。
【０００７】
また、綿のみを用いた農作物用ネットは、堆肥化は可能であるものの強度を充分に確保することが困難である。
【０００８】
本発明は、このような事情に鑑みてなされたもので、土壌中における堆肥化が早く、農作物の蔓葉を保持するのに充分な強度を有する生分解性撚糸、生分解性撚糸の製造方法及び生分解性撚糸を用いた農作物用ネットを提供することにある。
【課題を解決するための手段】
【０００９】
請求項１記載の生分解性撚糸は、綿繊維に対して竹を原料とする竹セルロース繊維を５重量％〜３０重量％を混紡した混紡糸を撚った撚糸であることを特徴とする。
【００１０】
請求項２記載の生分解性撚糸は、綿繊維の綿番手が０．５番〜２番で繊維長が２５ｍｍ〜３５ｍｍで、竹セルロース繊維の繊度が０．８デシテックス〜１．７デシテックスで繊維長が３２ｍｍ〜４２ｍｍであることを特徴とする。
【００１１】
請求項３記載の生分解性撚糸は、混紡糸を６本〜２４本撚って、繊度を３０００デシテックス〜５６００デシテックスとしたことを特徴とする。
【００１２】
請求項４記載の生分解性撚糸は、混紡糸を２本〜１２本撚って第１の撚糸とし、さらに第１の撚糸を３本〜６本撚ったことを特徴とする。
【００１３】
請求項５記載の生分解性撚糸の製造方法は、綿繊維に対して竹を原料とする竹セルロース繊維を５重量％〜３０重量％を混紡して混紡糸とし、１本の混紡糸を撚り、撚った混紡糸の２本〜１２本を撚って第１の撚糸とし、第１の撚糸の３本〜６本を撚ることを特徴とする。
【００１４】
請求項６記載の生分解性撚糸の製造方法は、綿繊維の綿番手が０．５番〜２番で繊維長が２５ｍｍ〜３５ｍｍで、竹セルロース繊維の繊度が０．８デシテックス〜１．７デシテックスで繊維長が３２ｍｍ〜４２ｍｍであることを特徴とする。
【００１５】
請求項７記載の生分解性撚糸を用いた農作物用ネットは、請求項１〜請求項４のいずれかに記載の生分解性撚糸を用いてなることを特徴とする。
【００１６】
請求項８記載の生分解性撚糸を用いた農作物用ネットは、請求項５又は請求項６記載の方法で製造された生分解性撚糸を用いてなることを特徴とする。
【発明の効果】
【００１７】
特許請求の範囲の発明によれば、土壌中における堆肥化が早く、農作物の蔓葉を保持するのに充分な強度を有する。
【発明を実施するための形態】
【００１８】
以下、本発明の形態について図面を参照しながら具体的に説明する。本実施の形態における農作物用ネットは、長芋、キュウリ、さやえんどう、ゴウヤ等の蔓が伸びる農作物の蔓を絡ませつつ保持して蔓葉の成長を促すものである。
【００１９】
農作物用ネットは、生分解性撚糸を使用して作られている。本実施例における生分解性撚糸は、綿繊維と竹を原料とする竹セルロール繊維とを混紡した混紡糸を撚った撚糸である。生分解性撚糸は、綿繊維に対して竹セルロール繊維を５重量％〜３０重量％を混紡した混紡糸を撚った撚糸である。生分解性撚糸の元となる混紡糸における綿繊維は、綿番手が０．５番〜２番相当の太さを有し、繊維長が２５ｍｍ〜３５ｍｍである。また、竹セルロース繊維は、繊度が０．８デシテックス〜１．７デシテックスで、繊維長が３２ｍｍ〜４２ｍｍである。
【００２０】
尚、竹セルロール繊維は、例えば、ビスコース法で製造されたレーヨンである。このビスコース法では、竹の植物原料をアルカリ（苛性ソーダ）及び二硫化炭素と反応させてアルカリ水溶液中に溶解し、これを口金から硫酸水溶液中に押しだし、引き延ばして繊維素（セルロース）を凝固・再生して製造される。
【００２１】
生分解性撚糸の製造方法としては、まず、上述の綿繊維と竹セルロース繊維とを混紡して混紡糸とし、１本の混紡糸を撚る。そして、撚った混紡糸の２本〜１２本を撚って第１の撚糸とし、さらに第１の撚糸の３本〜６本を撚る。結果として、生分解性撚糸は、混紡糸を６本〜２４本撚ったもので、繊度が３０００デシテックス〜５６００デシテックスになっている。
【００２２】
より具体的な混紡糸の撚り方は、１本の混紡糸を撚り数４８０Ｔ／Ｍ〜８００Ｔ／Ｍで撚り、そして、撚った混紡糸の２本〜１２本を撚り数２８０Ｔ／Ｍ〜７００Ｔ／Ｍで撚って第１の撚糸とする。さらに、第１の撚糸の３本〜６本を撚り数１００Ｔ／Ｍ〜４００Ｔ／Ｍで撚るようにする。
【００２３】
以上のような本実施例の生分解性撚糸は、土壌中における堆肥化が早く、農作物の蔓葉を保持するのに充分な強度を有している。具体的には、生分解性撚糸の引張強度は、直線強力で約８０Ｎ以上、結節強力で約６０Ｎ以上である。また、本実施例の生分解性撚糸を用いた農作物用ネットを長芋の作付け用として用い、使用後の農作物用ネットを長芋の蔓葉が絡まった状態で一体として放置した場合、約半年の期間で生分解性撚糸及び蔓葉が原形をとどめないまでに腐敗が進み、堆肥化される。
【産業上の利用可能性】
【００２４】
以上のように、本発明によれば、土壌中における堆肥化が早く、農作物の蔓葉を保持するのに充分な強度を有する生分解性撚糸、生分解性撚糸の製造方法及び生分解性撚糸を用いた農作物用ネットを提供することができる。